(57)【要約】【課題】  カードＩＤ情報と端末ＩＤ情報とを関係付けてデータベースに登録更新できるようにしたＩＤ情報の登録更新方法を提供する。【解決手段】  携帯端末機からサーバに対し認証用情報を送信するステップと、サーバにおいて認証用情報に基づいた認証処理を行うステップと、認証されたことを条件として、カードＩＤ情報を有するアプリケーションプログラムをサーバから携帯端末機にダウンロードするステップと、携帯端末機において前記アプリケーションプログラムを起動させて、携帯端末機に予め搭載されている端末ＩＤ情報と、カードＩＤ情報とを関係付けたＩＤ紐付けデータを生成するステップと、前記ＩＤ紐付けデータを、携帯端末機からサーバに送信するステップと、サーバが、携帯端末機から受信した前記ＩＤ紐付けデータに基づき、会員情報データベースに登録されているカードＩＤ情報に端末ＩＤ情報を関係付けて登録するステップとからなる。【選択図】        図1
2007080006.tif 000002
【特許請求の範囲】
【請求項１】
予め専用サービスの提供が約束された会員に対して発行されたカードの認証に用いるカードＩＤ情報と、該会員の個人情報とが関係付けられて登録されている会員情報データベースと、前記会員情報データベースの登録情報に基づき、前記会員に対して専用サービスの提供を行うサーバとを有し、前記会員が新たにカード以外に携帯端末機を使用する場合でも、前記専用サービスを受けられるようにしたＩＤ情報の登録更新方法であって、
前記携帯端末機から前記サーバに対して、認証用情報を送信するステップと、
前記サーバにおいて、前記認証用情報に基づいた認証処理を行うステップと、
前記認証処理で認証されたことを条件として、前記カードＩＤ情報を有するアプリケーションプログラムを前記サーバから前記携帯端末機にダウンロードするステップと、
前記携帯端末機において、前記アプリケーションプログラムを起動させて、前記携帯端末機に予め搭載されている端末ＩＤ情報と、前記カードＩＤ情報とを関係付けたＩＤ紐付けデータを生成するステップと、
前記ＩＤ紐付けデータを、前記携帯端末機から前記サーバに送信するステップと、
前記サーバが、前記携帯端末機から受信した前記ＩＤ紐付けデータに基づいて、前記会員情報データベースに登録されている前記カードＩＤ情報に、前記端末ＩＤ情報を関係付けて登録するステップと、
からなることを特徴とするＩＤ情報の登録更新方法。
【発明の詳細な説明】
【技術分野】
【０００１】
本発明は、カードを利用する会員が、新たにカード以外に携帯端末機を使用する場合でも、カードシステムで提供される専用サービスを受けられるようにしたＩＤ情報の登録更新方法に関する。
【背景技術】
【０００２】
従来、顧客の個人情報をデータベースに登録して会員化すると共に、それらの会員に対してカードの発行を行って、会員にカードを利用した種々の専用サービスの提供を行うようにしたカードシステムの実施が一般的に行われている。
このようなカードシステムでは、個々のカード会員を特定するためのカードＩＤ情報をカードの記憶手段に記憶させると共に、そのカードＩＤ情報を顧客の個人情報と関係付けてデータベースに登録したり、端末に備えられたカードリーダで、カードに記憶されているカードＩＤ情報の読み取りを行い、端末からサーバにカードＩＤ情報を送信することで専用サービスを受られるようにし、またカードＩＤ情報に基づいた顧客情報管理も行えるなどしてある。
【０００３】
更に、近年において、携帯端末機である携帯電話機に端末ＩＤ情報を記憶させて、この端末ＩＤ情報を携帯端末機からリーダに読み取らせることで、専用サービスの提供を行い、また端末ＩＤ情報に基づいた顧客情報管理が行えるようにするシステムも登場している。
この携帯電話機を利用したシステムを用いれば、会員に対していちいちカードの発行を行わなくてもすむので、専用サービスの提供者側にとっては、カード発行に伴うコストも削減することができるので好ましいことである。
このようなことから、既に実施しているカードを利用した専用サービスについても、カードと併用させて携帯電話機でも利用できるようにしたり、また、現在はカードを利用しているシステムでも、将来的に徐々に携帯電話機を利用するシステムに切り替えていくようにすることも検討されている。
【０００４】
しかしながら、従来実施しているカードシステムで使用しているカードＩＤ情報と同じカードＩＤ情報を、携帯電話機を利用したシステムでも使用可能とするためには、携帯電話機に対してカードＩＤ情報を送信して記憶させるなどの処理をしなければならない。
この場合には、携帯電話機に記憶されたカードＩＤ情報が簡単に書き換え可能となる状態で記憶されることになるので、第三者に不正に書き換えられて不正行為が行われる危険性があるという問題がある。
【０００５】
このため、携帯電話機のメモリに予め書き換えできないように記憶されている端末ＩＤ情報を利用することが考えられるが、既に実施されているカードシステムとは別の携帯電話機システムとして、新たに会員情報の管理を行わなければならず、カードを利用した会員情報の管理と、携帯電話機を利用した会員情報の管理とが別々となり、同じ会員に対して統一した専用サービスの提供が行えないという不便が生じるという問題がある。
例えば、会員にポイントサービスを提供する場合にも、ポイント点数の統一管理が行えずに、会員がポイントサービスの提供を希望する場合において、カード利用時のポイントと、携帯電話機利用時のポイントとを別々なサービスとしてしか受けられないという不便がある。
また、このようなことから、携帯電話機の端末ＩＤ情報をサーバ側に送信して、データベースに登録する方法も考えられるが、通信が途中で切れる危険性もあり好ましくないという問題がある。
【０００６】
従来技術として、１つの電子処理装置に複数の専用サービスのためのＩＤ情報を格納すると共に、単一パスワード情報で複数のサービスサーバへのアクセスを可能とすることにより、ユーザにとって管理が容易になると共に、専用サービスを簡単に利用することができるようにした認証システムが知られている。（例えば、特許文献１参照）
しかしながら、上記のシステムでは、例えばサーバとＩＣカードとの間で繰り返し通信を行うなど複雑なシステムを構築しなければならず不便であるという問題がある。
【特許文献１】特開２００３−３０１５５６号公報
【発明の開示】
【発明が解決しようとする課題】
【０００７】
そこで、本発明は、顧客の個人情報をデータベースに登録して会員化すると共に、既に、それらの会員に対してカードの発行を行って、その会員にカードを利用した種々の専用サービスの提供を行えるようにしたカードシステムが実施されている場合においても、更に、携帯電話機などの携帯端末機に予め記憶されている端末ＩＤ情報を利用して、それらの専用サービスの提供を行えるようにするために、カードＩＤ情報と端末ＩＤ情報とを関係付けてデータベースに登録更新できるようにしたＩＤ情報の登録更新方法を提供する。
【課題を解決するための手段】
【０００８】
本発明のＩＤ情報の登録更新方法は、予め専用サービスの提供が約束された会員に対して発行されたカードの認証に用いるカードＩＤ情報と、該会員の個人情報とが関係付けられて登録されている会員情報データベースと、前記会員情報データベースの登録情報に基づき、前記会員に対して専用サービスの提供を行うサーバとを有し、前記会員が新たにカード以外に携帯端末機を使用する場合でも、前記専用サービスを受けられるようにしたＩＤ情報の登録更新方法であって、前記携帯端末機から前記サーバに対して、認証用情報を送信するステップと、前記サーバにおいて、前記認証用情報に基づいた認証処理を行うステップと、前記認証処理で認証されたことを条件として、前記カードＩＤ情報を有するアプリケーションプログラムを前記サーバから前記携帯端末機にダウンロードするステップと、前記携帯端末機において、前記アプリケーションプログラムを起動させて、前記携帯端末機に予め搭載されている端末ＩＤ情報と、前記カードＩＤ情報とを関係付けたＩＤ紐付けデータを生成するステップと、前記ＩＤ紐付けデータを、前記携帯端末機から前記サーバに送信するステップと、前記サーバが、前記携帯端末機から受信した前記ＩＤ紐付けデータに基づいて、前記会員情報データベースに登録されている前記カードＩＤ情報に、前記端末ＩＤ情報を関係付けて登録するステップと、からなることを特徴とする。
【発明の効果】
【０００９】
本発明のＩＤ情報の登録更新方法は、携帯端末機内において、予め携帯端末機に予め搭載されている端末ＩＤ情報を、既に使用しているカードＩＤ情報と関係付けて生成したＩＤ紐付けデータを、携帯端末機からサーバに送信することで、会員情報データベースにカードＩＤ情報と端末ＩＤ情報とを関係付けた情報として登録更新できるので、既にカードシステムが実施されている場合でも、携帯電話機などの携帯端末機に予め記憶されている端末ＩＤ情報を利用して、それらの専用サービスの提供を行えるようにすることができるという効果がある。
【発明を実施するための最良の形態】
【００１０】
以下、本発明の実施形態に係るＩＤ情報の登録更新方法について、図面に基づいて詳細に説明する。
図１は、本発明の実施形態に係るＩＤ情報の登録更新方法の考え方を説明するための図、図２は、本発明の実施形態に係るＩＤ情報の登録更新方法を適応するシステムにおける会員情報ベータベースの登録情報を説明する図、図３は、本発明の実施形態に係るＩＤ情報の登録更新方法を適応するシステム構成図、図４は、本発明の実施形態に係るＩＤ情報の登録更新方法の手順を示す図である。
【００１１】
まず、本発明の実施形態に係るＩＤ情報の登録更新方法の概要を図１に基づいて説明する。
会員に対して発行されるＩＣカード１のＩＣチップメモリ２内には、カードＩＤ情報３が記憶されている。
また、携帯端末機である携帯電話機４のＩＣチップメモリ５内には、予め端末ＩＤ情報６が記憶されている。
そして、これら各々に記憶されているカードＩＤ情報３と端末ＩＤ情報６とは、本来独立して用いられるＩＤ情報であって関連性を有していない情報である。
また、少なくとも、ＩＣカード１が発行された会員は、会員情報データベースにカードＩＤ情報３と関係付けて個人情報を登録することで、そのカードＩＤ情報３を用いたシステムサービスが受けられるようにしてある。
【００１２】
そして、その後、会員がカードＩＤ情報３を用いた専用サービスを携帯電話機４を用いて行う場合には、会員情報データベース７のカードＩＤ情報３に端末ＩＤ情報６を関係付けて登録させる必要がある。
図２には、会員情報データベースにおいて、会員の個人情報８とカードＩＤ情報３と端末ＩＤ情報６とが関係付けられて登録されている状態が示されており、これらの情報が会員情報データベース７にそれぞれ関係付けられて登録されていれば、カードＩＤ情報３を用いた専用サービスを携帯電話機４でも利用できるようになり、同一ユーザーにおける相互利用が可能となる。
本発明のＩＤ情報の登録更新方法は、会員情報データベースに会員の個人情報と関係付けて登録されているカードＩＤ情報３に対して、更に端末ＩＤ情報６も関係付けて登録させる方法を提供するものである。
【００１３】
本発明の実施形態に係るＩＤ情報の登録更新方法を適応するシステム構成は、図３に示すように、カードリーダ９が備えられたパソコン端末１０がインターネット１１を介してサーバ１２に通信可能に接続され、更に、携帯電話機４が、移動体通信網１４及びインターネット１１を介してサーバ１２に通信可能に接続されている。
会員は、ＩＣカード１と携帯電話機４とを所有しており、会員自身によりＩＣカード１で利用できる専用サービスを、携帯電話機４を用いても利用できるようにするためにＩＤ情報の登録更新に必要な処理を実施できるようにしてある。
【００１４】
次に、図４に基づいて、本発明の実施形態に係るＩＤ情報の登録更新方法に関する処理手順を説明する。
まず、会員１５は、会員になるために会員用のＩＣカードを入手する。（ステップＳ１）
そして、パソコン端末１０を利用してインターネット１１を介してサーバ１２にアクセスし、会員登録申請を行う。（ステップＳ２）
この会員登録申請は、ＩＣカード１のＩＣチップメモリ２内に記憶されているカードＩＤ情報３と個人情報などをサーバ１２に送信し、会員情報データベースにカードＩＤ情報３と関係付けて個人情報を登録することで行われる。（ステップＳ３）
この登録により、会員は、ＩＣカード１を利用することで専用サービスが受けられるようになる。
しかしながら、この段階では、会員は会員情報データベースに携帯端末機である携帯電話機４のＩＣチップメモリ５に記憶されている端末ＩＤ情報６まで登録されていないので、ＩＣカード１以外の媒体、つまり携帯電話機１３では専用サービスを受けることができない状態にある。
【００１５】
次に、会員が、ＩＣカード１を用いた専用サービスを、更に携帯電話機４でも利用可能とするために必要な処理手順について説明する。
まず、会員１５は、携帯電話機４を用いて、モバイルサイトへログインを行う。（ステップＳ４）
そして、認証処理を行う。（ステップＳ５）
この認証処理で認証承認された場合には、携帯電話機４にモバイルサイトのトップページが表示される。（ステップＳ６）
そして、会員が、そのモバイルサイトのトップページのメニューの中から、携帯電話用アプリケーションソフトのダウンロードの処理を選択することで、サーバ１２から携帯電話機４に対して、その会員のカードＩＤ情報を有するアプリケーションプログラムのダウンロードが開始される。（ステップＳ７）
このダウンロードにより、サーバ１２から携帯電話機４にその会員のカードＩＤ情報３も送信されることになる。
【００１６】
そして、携帯電話機４に対するカードＩＤ情報を有するアプリケーションプログラムのダウンロードが完了される。（ステップＳ８）
次に、ダウンロードされた携帯電話用アプリケーションプログラムを起動させる。（ステップＳ９）
このアプリケーションプログラムの起動により、携帯電話機４のＩＣチップメモリ５内に記憶されている端末ＩＤ情報６の読み込みが行われる。（ステップＳ１０）
そして、サーバ１２から受信したカードＩＤ情報３と、携帯電話機４のＩＣチップメモリ５から読み込まれた端末ＩＤ情報６とを関係付けたＩＤ紐付けデータの生成が行われる。（ステップＳ１１）
【００１７】
次に、携帯電話機４からサーバ１２に対して、このＩＤ紐付けデータの送信が行なわれる。（ステップＳ１２）
そして、ＩＤ紐付けデータを受信したサーバ１２において、そのＩＤ紐付けデータに基づいて、会員情報データベース７にカードＩＤ情報３と端末ＩＤ情報６とを関係付けて登録更新の処理が行われる。
この登録更新により、会員情報データベース７には、図２に示すように、会員の個人情報８とカードＩＤ情報３と端末ＩＤ情報６とが関係付けられて登録されることになり、その後、会員は、ＩＣカード１以外の携帯電話機４を使用した場合でも、携帯電話機４のＩＣチップメモリ５内に記憶されている端末ＩＤ情報６をサーバ１２に送信することで専用サービスを受けることができるようになる。
尚、携帯端末機は、上記の携帯電話機だけでなく、その他の携帯端末機を使用してもよい。
【図面の簡単な説明】
【００１８】
【図１】本発明の実施形態に係るＩＤ情報の登録更新方法の考え方を説明するための図である。
【図２】本発明の実施形態に係るＩＤ情報の登録更新方法を適応するシステムにおける会員情報ベータベースの登録情報を説明する図である。
【図３】本発明の実施形態に係るＩＤ情報の登録更新方法を適応するシステム構成図である。
【図４】本発明の実施形態に係るＩＤ情報の登録更新方法の手順を示す図である。
【符号の説明】
【００１９】
１  ＩＣカード
２，５  ＩＣチップメモリ
３  カードＩＤ情報
４  携帯電話機
６  端末ＩＤ情報
７  会員情報データベース
８  会員の個人情報
９  カードリーダ
１０  パソコン端末
１１  インターネット
１２  サーバ
１４  移動体通信網
１５  会員
【図１】
2007080006.tif 000003
【図２】
2007080006.tif 000004
【図３】
2007080006.tif 000005
【図４】
2007080006.tif 000006